(57)【要約】【課題】サイドウォール部の表面に現れる凹凸を目立たなくさせる目隠し効果と外観性能とを両立しうる装飾模様を具えた空気入りタイヤを提供する。【解決手段】サイドウォール部２の表面に、タイヤ周方向に沿ってのびる帯状の装飾模様３が形成された空気入りタイヤ１であって、装飾模様３は、タイヤ軸心を中心とする中心角α（＜３６０°）の範囲を構成し、かつ、中心角αよりも小さい角度βでタイヤ周方向に重なり合う複数の単位模様５を含み、各単位模様５は、タイヤ半径方向外側又は内側に凸となる複数本の円弧状模様６がタイヤ半径方向に同心円状に隔設されており、円弧状模様６は、重なり合う単位模様５の円弧状模様６と互いに交差する交差部７を含む。【選択図】図２
2015013605.tif 000002
【特許請求の範囲】
【請求項１】
サイドウォール部の表面に、タイヤ周方向に沿ってのびる帯状の装飾模様が形成された空気入りタイヤであって、
前記装飾模様は、タイヤ軸心を中心とする中心角α（＜３６０°）の範囲を構成し、かつ、前記中心角αよりも小さい角度βでタイヤ周方向に重なり合う複数の単位模様を含み、
前記各単位模様は、タイヤ半径方向外側又は内側に凸となる複数本の円弧状模様がタイヤ半径方向に同心円状に隔設されており、
前記円弧状模様は、前記重なり合う単位模様の円弧状模様と互いに交差する交差部を含むことを特徴とする空気入りタイヤ。
【請求項２】
前記中心角αは、前記角度βの２倍である請求項１記載の空気入りタイヤ。
【請求項３】
前記装飾模様は、タイヤ半径方向内側をタイヤ周方向に沿ってのびる内側リブと、タイヤ半径方向外側をタイヤ周方向に沿ってのびる外側リブとの間に形成されている請求項１又は２記載の空気入りタイヤ。
【請求項４】
前記角度βは、２〜４°の範囲である請求項１乃至３のいずれかに記載の空気入りタイヤ。
【請求項５】
前記円弧状模様は、１．０〜２．０mmのピッチでタイヤ半径方向に隔設されている請求項１乃至４のいずれかに記載の空気入りタイヤ。
【請求項６】
前記各単位模様の複数の円弧状模様は、前記単位模様のタイヤ半径方向に沿った中心線上に位置しかつタイヤ軸心とは異なる第１点を同心とする円弧であり、
前記第１点は、前記単位模様とタイヤ軸心との間に位置する請求項１乃至５のいずれかに記載の空気入りタイヤ。
【発明の詳細な説明】
【技術分野】
【０００１】
本発明は、サイドウォール部の表面に、装飾模様が形成された空気入りタイヤに関する。
【背景技術】
【０００２】
一般に、空気入りタイヤのサイドウォール部は、例えば、厚さが小さなゴムで覆われている。このため、サイドウォール部の表面には、タイヤの内部構造材であるカーカスの継ぎ目や残留空気等により、バルジやデントと呼ばれる局部的な凹凸が現れ易い。
【０００３】
従来、凹凸を目立たなくさせるため、サイドウォール部の表面に、タイヤ周方向に沿ってのびる帯状の装飾模様が形成された空気入りタイヤが提案されている。例えば、下記特許文献１では、図５に示されるように、タイヤ半径方向にのびる曲線状模様ｂと、曲線状模様ｂと交差する形状の異なる線上模様ｃとがタイヤ周方向に繰り返し配されて形成された装飾模様ａが提案されている。
【先行技術文献】
【特許文献】
【０００４】
【特許文献１】特開２００４−１７８２８号公報
【発明の概要】
【発明が解決しようとする課題】
【０００５】
しかしながら、従来の装飾模様ａでは、例えば、曲線状模様ｂが、タイヤ周方向の一方側に凸となる曲率半径の小さな円弧部と、タイヤ周方向の他方側に凸となる曲率半径の大きな円弧部とを含んでいる。このため、タイヤ周方向に隣り合う曲線状模様ｂ、ｂの間隔が、タイヤ半径方向の内側と外側とで異なり、装飾模様ａの外観性能を損ねる傾向にあった。
【０００６】
本発明は、上記問題に鑑み案出なされたもので、サイドウォール部の表面に現れる凹凸を目立たなくさせる目隠し効果と外観性能とを両立しうる装飾模様を具えた空気入りタイヤを提供することを主たる目的としている。
【課題を解決するための手段】
【０００７】
本発明は、サイドウォール部の表面に、タイヤ周方向に沿ってのびる帯状の装飾模様が形成された空気入りタイヤであって、前記装飾模様は、タイヤ軸心を中心とする中心角α（＜３６０°）の範囲を構成し、かつ、前記中心角αよりも小さい角度βでタイヤ周方向に重なり合う複数の単位模様を含み、前記各単位模様は、タイヤ半径方向外側又は内側に凸となる複数本の円弧状模様がタイヤ半径方向に同心円状に隔設されており、前記円弧状模様は、前記重なり合う単位模様の円弧状模様と互いに交差する交差部を含むことを特徴とする。
【０００８】
本発明に係る前記空気入りタイヤは、前記中心角αが、前記角度βの２倍であるのが望ましい。
【０００９】
本発明に係る前記空気入りタイヤは、前記装飾模様が、タイヤ半径方向内側をタイヤ周方向に沿ってのびる内側リブと、タイヤ半径方向外側をタイヤ周方向に沿ってのびる外側リブとの間に形成されているのが望ましい。
【００１０】
本発明に係る前記空気入りタイヤは、前記角度βが、２〜４°の範囲であるのが望ましい。
【００１１】
本発明に係る前記空気入りタイヤは、前記円弧状模様が、１．０〜２．０mmのピッチでタイヤ半径方向に隔設されているのが望ましい。
【００１２】
本発明に係る前記空気入りタイヤは、前記各単位模様の複数の円弧状模様が、前記単位模様のタイヤ半径方向に沿った中心線上に位置しかつタイヤ軸心とは異なる第１点を同心とする円弧であり、前記第１点が、前記単位模様とタイヤ軸心との間に位置するのが望ましい。
【発明の効果】
【００１３】
本発明の空気入りタイヤでは、装飾模様が、タイヤ軸心を中心とする中心角α（＜３６０°）の範囲を構成し、かつ、前記中心角αよりも小さい角度βでタイヤ周方向に重なり合う複数の単位模様を含んでいる。各単位模様には、タイヤ半径方向外側又は内側に凸となる複数本の円弧状模様がタイヤ半径方向に同心円状に隔設されている。このため、装飾模様の外観性能が向上される。
【００１４】
本発明の空気入りタイヤでは、円弧状模様が、重なり合う単位模様の円弧状模様と互いに交差する交差部を含んでいる。このため、模様密度の低い部分では、影が形成され難い。逆に、模様密度の高い部分では、より多くの影が形成される。従って、本発明の空気入りタイヤでは、装飾模様のコントラスト性を高め、装飾模様を目立たせることにより、サイドウォール部のバルジやデント等の凹凸を目立たなくさせる目隠し効果が向上される。
【図面の簡単な説明】
【００１５】
【図１】本発明の一実施形態の空気入りタイヤの側面を拡大した部分拡大図である。
【図２】図１の装飾模様の部分拡大図である。
【図３】図２の単位模様の部分拡大図である。
【図４】図３のＡ−Ａ断面図である。
【図５】従来の装飾模様を示すサイドウォール部の部分拡大図である。
【発明を実施するための形態】
【００１６】
以下、本発明の実施の一形態が、図面に基づき説明される。
図１には、本実施形態の空気入りタイヤ（以下、単に「タイヤ」と記載される場合がある）１の側面を拡大した部分拡大図が示されている。図１に示されるように、タイヤ１のサイドウォール部２は、サイドウォールゴム２Ｇで形成されており、サイドウォールゴム２Ｇの表面２Ｓには、装飾模様３が形成されている。
【００１７】
装飾模様３は、サイドウォール部２の表面２Ｓにおいて、タイヤ周方向に沿って帯状にのびている。前記「帯状」には、タイヤ周方向へ環状に連続してのびるもの、及び、タイヤ周方向の一部をなす円弧状のものの双方が含まれる。本実施形態の装飾模様３は、例えば、タイヤ周方向に連続した環状に形成されている。
【００１８】
本実施形態の装飾模様３は、サイドウォール部２の表面２Ｓに、例えば、加硫成形又は切削加工等によって形成される。装飾模様３は、耐久性能及び生産性の観点から、例えば、加硫成形により形成されるのがより望ましい。
【００１９】
サイドウォール部２の表面２Ｓには、タイヤ周方向に沿ってのびる内側リブ４ｉと外側リブ４ｏとが形成されている。装飾模様３は、内側リブ４ｉと外側リブ４ｏとの間に形成されている。これらの内側リブ４ｉ及び外側リブ４ｏは、装飾模様３のタイヤ半径方向両端を補強し、そこを起点とするクラックの発生を抑制するのに役立つ。
【００２０】
図２には、図１の装飾模様３の部分拡大図が示されている。図２に示されるように、装飾模様３は、タイヤ軸心を中心とする中心角α（＜３６０°）の範囲を構成する複数の単位模様５を含んでいる。
【００２１】
図３には、図２の単位模様５の１つが実線で示され、これと重なる他の１つが仮想線で示されている。図２又は図３に示されるように、単位模様５は、中心角αよりも小さい角度βで、互いにタイヤ周方向に重なり合っている。
【００２２】
本実施形態の中心角αは、例えば、角度βの２倍であるのが望ましい。中心角αが角度βの２倍未満の場合、装飾模様３の模様密度が過度に大きくなるおそれがある。逆に、中心角αが角度βの２倍より大きい場合、装飾模様３の模様密度が過度に小さくなるおそれがる。これらの場合、いずれも、バルジやデント等の凹凸を目立たなくさせる装飾模様３の目隠し効果が低下する傾向にある。
【００２３】
本実施形態の角度βは、中心角αと同様の観点から、例えば、１〜５°の範囲であるのが望ましい。角度βが１°未満の場合、装飾模様３の模様密度が過度に大きくなるおそれがある。逆に、角度βの５°より大きい場合、装飾模様３の模様密度が過度に小さくなるおそれがる。このような観点から、角度βは、より好ましくは、２〜４°の範囲である。
【００２４】
図３に示されるように、各単位模様５には、タイヤ半径方向に複数本の円弧状模様６が隔設されている。円弧状模様６は、タイヤ半径方向外側又は内側に凸となる、本実施形態では、タイヤ半径方向外側に凸となる円弧状である。図３では、この凸の頂部が線で描かれている。
【００２５】
本実施形態の各円弧状模様６は、例えば、第１点Ｐ１を中心とする同心円状に隔設された円弧である。第１点Ｐ１は、例えば、単位模様５のタイヤ半径方向に沿った中心線Ｃ上に位置し、かつ、タイヤ軸心（図示省略）とは異なる点である。本実施形態の第１点Ｐ１は、単位模様５とタイヤ軸心との間に位置している。このように本実施形態の装飾模様３では、各円弧状模様６がタイヤ周方向に近似する。このため、円弧状模様６は、例えば、タイヤ１の回転に伴うタイヤ半径方向のブレが極めて小さい。従って、装飾模様３の外観性能が向上される。
【００２６】
重なり合う単位模様５、５において、円弧状模様６が互いに交差する交差部７が設けられる。交差部７が少ない装飾模様３の模様密度の低い部分では、光を反射し易く、影が形成され難い。逆に、交差部７の多い装飾模様３の模様密度の高い部分では、光が反射され難く、より多くの影が形成される。このようなコントラストにより、本実施形態の装飾模様３では、略Ｗ字状のコントラスト模様が、タイヤ周方向に繰り返し表れる。従って、本実施形態のタイヤ１では、サイドウォール部２にバルジやデント等の凹凸が生じても、この凹凸とタイヤ周方向にのびる円弧状模様６又はタイヤ半径方向にのびるＷ字状のコントラスト模様とが合致し、凹凸を目立たなくさせる目隠し効果が向上される。
【００２７】
２つの単位模様５が重なる部分において、１つの円弧状模様６上に形成される交差部７の数は、本実施形態では、最外側で１コ、最内側で３乃至４コである。このため、本実施形態の装飾模様３では、タイヤ半径方向の内側に比して、タイヤ半径方向の外側でより多くの光が反射される。
【００２８】
単位模様５において、最もタイヤ半径方向内側の円弧状模様６は、例えば、４．０〜２００mmの曲率半径Ｒであるのが望ましい。曲率半径Ｒが４．０mm未満の場合、コントラストが一定となるおそれがある。逆に、曲率半径Ｒが２００mmより大きい場合、交差部７が過度に多くなり、装飾模様３の模様密度が大きくなり、装飾模様６により形成される影が過度に多くなるおそれがある。いずれの場合にも、装飾模様３には、Ｗ字状の模様が形成され難くなり、目隠し効果が充分に発揮されない傾向にある。このような観点から、最もタイヤ半径方向内側の円弧状模様６の曲率半径Ｒは、より好ましくは、５．０〜１００mmの範囲である。
【００２９】
図４には、図３のＡ−Ａ断面図が示されている。図４に示されるように、本実施形態の円弧状模様６は、例えば、その長手方向に直交する断面において、サイドウォール部２の表面２Ｓから突出する略三角形状に形成されている。円弧状模様６の前記断面は、略三角形状に限定されず、例えば、半円状、矩形状や台形状であっても良い。
【００３０】
円弧状模様６は、例えば、０．５〜２．５mmのピッチＰでタイヤ半径方向に隔設されているのが望ましい。ピッチＰが０．５mm未満の場合、装飾模様３の模様密度が過度に大きくなり、円弧状模様６により形成される影が多くなるおそれがある。逆に、ピッチＰが２．５mmより大きい場合、装飾模様３の模様密度が過度に小さくなり、装飾模様６により形成される影が少なくなるおそれがある。従って、いずれの場合にも、装飾模様３は、コントラスト性のバランスが悪化し、目隠し効果が充分に発揮できない傾向にある。このような観点から、円弧状模様６のピッチＰは、より好ましくは、１．０〜２．０mmの範囲である。
【００３１】
円弧状模様６の高さＨは、例えば、０．１〜０．７mmの範囲であるのが望ましい。高さＨが０．１mm未満の場合、サイドウォール部２の表面２Ｓにおいて、円弧状模様６の視認が困難となり、凹凸を目立たなくさせる目隠し効果が十分に発揮されないおそれがある。逆に、高さＨが０．７mmより大きい場合、例えば、タイヤ１の周上で、半径が最も大きい位置や剛性が最も大きい位置を示すピークマークや、最も軽い位置を示す軽点マーク等のマークの接着性を低下させるおそれがある。なお、高さＨが０．７mmより大きい場合、円弧状模様６の耐久性が低下し、円弧状模様６を起点にクラックが生じるおそれもある。このような観点から、円弧状模様６の高さＨは、より好ましくは、０．２〜０．６mmの範囲である。
【００３２】
円弧状模様６の幅Ｗは、例えば、０．０５〜０．７mmの範囲であるのが望ましい。幅Ｗが０．０５mm未満の場合、サイドウォール部２の表面２Ｓにおいて、円弧状模様６の視認が困難となり、凹凸を目立たなくさせる目隠し効果が十分に発揮されないおそれがある。逆に、幅Ｗが０．７mmより大きい場合、装飾模様３の模様密度が過度に大きくなり、目隠し効果が低下するおそれがある。このような観点から、円弧状模様６の幅Ｗは、より好ましくは、０．１〜０．６mmの範囲である。
【００３３】
本明細書において、特に断りがない場合、タイヤ１の各部の寸法は、正規状態での値である。前記「正規状態」とは、タイヤ１が、正規リム（図示省略）にリム組みされかつ正規内圧が充填されしかも無負荷の状態である。
【００３４】
前記「正規リム」とは、タイヤが基づいている規格を含む規格体系において、当該規格がタイヤ毎に定めるリムであり、例えば、ＪＡＴＭＡであれば"標準リム"、ＴＲＡであれば "Design Rim" 、ＥＴＲＴＯであれば "Measuring Rim" である。
【００３５】
前記「正規内圧」とは、タイヤが基づいている規格を含む規格体系において、各規格がタイヤ毎に定めている空気圧であり、例えば、ＪＡＴＭＡであれば"最高空気圧"、ＴＲＡであれば表 "TIRE LOAD LIMITS AT VARIOUS COLD INFLATION PRESSURES" に記載の最大値、ＥＴＲＴＯであれば "INFLATION PRESSURE" である。
【００３６】
図２に示されるように、円弧状模様６の端部は、例えば、内側リブ４ｉ、外側リブ４ｏ又はタイヤ周方向に隣り合う単位模様５の円弧状模様６の端部に接続されている。即ち、本実施形態の円弧状模様６は、終端を有していない。このような円弧状模様６は、終端を起点に生じるクラックが抑制され、装飾模様３の耐久性が向上する。
【００３７】
以上、本発明の実施形態について詳述したが、本発明はこれらの実施形態に限定されることなく、種々の態様に変形して実施しうる。
【実施例】
【００３８】
表１の仕様に基づいて、空気入りタイヤが試作され、それらの性能がテストされた。
共通仕様は、下記の通りである。
【００３９】
タイヤサイズ：１９５／６５Ｒ１５
装飾模様のタイヤ半径方向の長さ：３７．０mm
角度β：（０．５×α）°
各テスト方法は下記の通りである。
【００４０】
＜目隠し効果＞
各テストタイヤのサイドウォール部において、凹凸を肉眼で確認し、凹凸の識別性について、テスターの官能により評価された。結果は、指数で示される。数値が大きい程、凹凸の識別が困難であり、目隠し効果に優れることを示す。
【００４１】
＜外観性能＞
各テスト用タイヤのサイドウォール部において、装飾模様の見映えを肉眼で確認し、目視による見映えについて、テスターの官能により評価された。結果は、指数で示される。数値が大きい程、外観性能に優れることを示す。
【００４２】
＜接着性＞
タイヤの装飾模様上に、タイヤのユニフォミティ特性等を示すピークマークや軽点マーク等のマークをしっかりと付着させるために、良好な接着性が望まれている。各テスト用タイヤの装飾模様上に、前記マークを熱転写により接着し、該マークにゴム片を擦りつけ、マークが完全に消えるまでに要した擦り回数により評価された。評価は、各実施例及び比較例の１０個のマークについて行われ、各実施例及び比較例毎の擦り回数の平均値が指数で示される。数値が大きい程、擦り回数が多く、接着性に優れることを示す。
【００４３】
【表１】
2015013605.tif 000003
2015013605.tif 000004
【００４４】
テストの結果、実施例のタイヤは、目隠し性能、外観性能及び接着性に優れることが確認できた。
【符号の説明】
【００４５】
１    空気入りタイヤ
２    サイドウォール部
２Ｓ  表面
３    装飾模様
５    単位模様
６    円弧状模様
７    交差部
【図１】
2015013605.tif 000005
【図２】
2015013605.tif 000006
【図３】
2015013605.tif 000007
【図４】
2015013605.tif 000008
【図５】
2015013605.tif 000009